(57)【特許請求の範囲】
【請求項１】
両レンズを備えたフロント部の両サイドにツルを取付けたメガネにおいて、
前記フロント部のレンズ面にエレクトレットフイルムを貼付し、
前記ツルにメガネを掛けた際に肌に接する導電性の電極を設けて前記フロント部にプラス電荷を誘導することで、前記エレクトレットのプラスの電荷を帯びた面が前記フロント部への接着面の反対側に位置するようにし、
空気中に浮遊するプラスの電荷を帯びたエアロゾルを前記エレクトレットフイルムにより反発させるようにしたこと、
を特徴とするエアロゾル対策眼鏡。
【発明の詳細な説明】
【０００１】
【発明の属する技術分野】
本発明は空気中を浮遊する花粉及びディーゼル車の排気ガス等のエアロゾルを寄せ付けないようにするメガネに関するものである。
【０００２】
【従来の技術】
春先になると花粉症に悩まされる人は多く、クシャミ、鼻水、又は涙が止まらなくなる。従って、花粉を吸い込まないように大きなマスクを着用したり、時には外出を控える等、色々努力しているが、花粉が飛び散る時期が過ぎない限り治ることはない。又、花粉症の薬も色々存在しているが、体質が原因している為に常に服用しなくてはならない。特に、乾燥する太平洋側での花粉症はひどく、私生活にも大きな影響をもたらしている。
【０００３】
又、近年環境問題の１つとなっているディーゼル車から排出される排気ガスの影響で肺がんを誘発する危険性があるとも報じられ、交通量の多い道路付近ではディーゼル車から排出される排気ガスのエアロゾル(浮遊粒子状物質)が問題となっている。勿論、タバコの煙もその他の１つである。このような花粉やタバコの煙、ディーゼル車の排気ガスを吸い込むことで身体に異変が発生し、これが元で病気になる場合も少なくない。
【０００４】
花粉等のエアロゾルが目に入ることでカユミが生じ、目が充血し、そして涙が出る。従来、飛び散る花粉等から目を守る為のメガネが開発されているが、このメガネは水中メガネのように目の周りの皮膚に密着して外気と遮断することで効力を発揮している。しかし、水中メガネのようなものを長時間にわたって着用することは出来ず、外気と遮断されることで温度差によって蒸れて汗をかき、又皮膚に密着することでアレルギーを起こし、勿論、レンズは曇ってしまう。そしてデザイン的に好ましい形態とすることは不可能である。
【０００５】
【発明が解決しようとする課題】
このように、従来の花粉症対策メガネには上記のごとき問題がある。本発明が解決しようとする課題はこの問題点であり、一般的なメガネの形態をベースとして外観的にも良好で、花粉や有害エアロゾルの対策を施したメガネを提供する。
【０００６】
【課題を解決する為の手段】
花粉やエアロゾルは空中に無数に浮遊しているが、これらエアロゾルはプラスの電荷を帯びている。そこで、本発明に係るメガネはレンズ面を含むフロント部をプラスに荷電することで上記花粉及びエアロゾルが近づかないようにする。すなわちプラス同士で反発させるように構成し、メガネから遠ざけるように構成している。
具体的には、本発明は請求項１に記載するように、両レンズを備えたフロント部の両サイドにツルを取付けたメガネにおいて、前記フロント部のレンズ面にエレクトレットフイルムを貼付し、前記ツルにメガネを掛けた際に肌に接する導電性の電極を設けて前記フロント部にプラス電荷を誘導することで、前記エレクトレットフイルムのプラスの電荷を帯びた面が前記フロント部への接着面の反対側に位置するようにし、空気中に浮遊するプラスの電荷を帯びたエアロゾルを前記エレクトレットフイルムにより反発させるようにした構成としてある。
【０００７】
本発明ではメガネ のレンズを含むフロント部にプラス電荷を帯びさせる為に、メガネ のツル先端に挿着しているモダン表面に電極を置くと共に、該電極とフロント部を導電体で接続し、人体に発生するプラスの静電気を利用して該フロント部のリムにプラスの電荷を帯びさせることが出来る。レンズは絶縁体であって帯電しないとされるが、その内部は隣り合った原子が電界の作用を受けて位置をズラし、又向きを変え、これによりレンズ表面にはプラスの電荷が現れる。すなわち静電分極現象に基く。そのため、前記エレクトレットフイルムのプラスの電荷を帯びた面が前記フロント部への接着面の反対側に位置するようになる。
【０００８】
なお、上記エレクトレットフイルムの電荷は水に漬けたり、除電装置にて除電することで一時的には電荷が消滅するが、時間が経過すると再び元の状態に復帰する。以下、本発明に係る実施例を図面に基づいて詳細に説明する。
【０００９】
【実施例】
図１は本発明に係るメガネを示している実施例であり、外観的には従来の一般的なメガネとほぼ同じである。該メガネはフロント部１の両側に設けているヨロイ２，２にツル３，３が蝶番等の継手を介して折畳み出来るように取付けられている。フロント部１はレンズ４，４が嵌っている両リム５，５が連結部材６によって連結され、リム５，５の内側であって連結部材６の下方には鼻当てパット７，７が取付けられている。そして、上記ツル３，３の先端部には樹脂製のモダン８，８が挿着されている。
【００１０】
図２はツル先端部に挿着されるモダン８を示す拡大図であり、モダン８は概略Ｌ形を成して、中心軸部にはツル３から延びる芯金部９が埋着されている。この芯金部９はツル３の一部である為に、継手からヨロイ２、そしてリム５へと繋がっている。そして樹脂製の上記モダン８の先端内側には電極板１０が設けられ、この電極板１０は芯金９と接続されている。
【００１１】
我々人間は人によって多少は異なるがプラスの静電気を帯びていて、特に乾燥する季節には大きな静電気が身体に帯電している。車のドアを開く際にピッと花火が飛ぶのは身体に帯電している静電気が放電した瞬間である。そこで、メガネを掛けることで身体のプラスの電荷に引き寄せられてモダン８の電極板１０はマイナス電荷となる。その結果、モダン８に対して最も離れているフロント部１のリム５，５はプラス電荷を帯びることになる。
【００１２】
ところで、レンズはプラスチックであってもガラスであっても絶縁体である為に帯電しないが、レンズ内部の原子はリム５に帯電しているプラス電荷に基く電界の作用を受ける。そして原子の位置及び向きが変化し、これによって電気的な変化は発生しないが静電分極現象によってレンズ表面にはプラスの電荷が現れる。従って、メガネを掛ける事でレンズ４を含むフロント部１にプラス電荷が帯電することに成り、空気中に浮遊する花粉その他のエアロゾルを遠ざけることが出来る。
【００１３】
図３は本発明の他の実施例である。同図はフロント部１の縦断面拡大図であるが、このメガネのレンズ表面にはエレクトレットフイルム１１が貼り合わされている。該エレクトレットフイルム１１とはプラス極側とマイナス極側を有し、同図に示すごとくマイナス極側を接着面として貼り合わせている。ガラスレンズ及びカルボニル基を備える高分子材料から成るプラスチィックレンズはプラス電荷を帯びている為に上記エレクトレットフイルムは該レンズ４に吸着し易い。
【００１４】
そして、レンズ４がプラス電荷を帯びることで、花粉等のエアロゾルを遠ざける事が出来、又目の表面は静電誘導によってマイナス化される。以上述べたように、本発明に係るメガネはそのフロント部にプラス電荷を帯電させるものであり、次のような効果を得ることが出来る。
【００１５】
【発明の効果】
本発明に係るメガネはそのフロント部がプラス電荷を帯電するように構成している為に、同じプラス電荷を帯びて空気中に浮遊する花粉やその他のエアロゾル(浮遊粒子状物質)を遠ざけることが出来る。従って、本発明のメガネを掛けることで春先の花粉症にならなくなり、又ディーゼル車の排気ガスから身体を守ることが出来る。
【００１６】
そして、本発明のメガネは従来の花粉症対策を施したメガネのような形態ではなく、普通一般のメガネと外観状の相違はない為に、何処へ行く場合にも掛けることが出来る。
【図面の簡単な説明】
【図１】本発明に係るメガネの外観図。
【図２】本発明のメガネを構成するモダン部分。
【図３】本発明に係るメガネフロント部の縦断面拡大図。
【符号の説明】
１  フロント部
２  ヨロイ
３  ツル
４  レンズ
５  リム
６  連結部材
７  鼻当てパット
８  モダン
９  芯金部
10  電極板
11  エレクトレットフイルム
12  目
【図１】
0003903424.tif 000002
【図２】
0003903424.tif 000003
【図３】
0003903424.tif 000004